(57)【要約】【課題】水流を制御して河川岸の浸食を抑制しつつ、流下物や浮遊物の滞留を極力少なくし、かつ、施工性に優れた聖牛を構築することのできる聖牛用基礎ブロックを提供することを目的とする。【解決手段】河川岸に沿いかつ水面上から突出した状態で設置されて、前記河川の水流を制御する制水枠体１２を備えた聖牛１０とともに用いられる聖牛用基礎ブロックであって、この基礎ブロックが、古タイヤ１３の内部にコンクリート１４を充填固化させて構成された複数の基礎ブロック構成体１１からなり、これらの複数の基礎ブロック構成体が、前記制水枠体の少なくとも周縁部に配設されるとともに、この基礎ブロック構成体に、前記制水枠体を固定する固定手段（１４ａ）が設けられていることを特徴とする。【選択図】      図２
2004176306.tif 000002
【特許請求の範囲】
【請求項１】
河川岸に沿いかつ水面上から突出した状態で設置されて、前記河川の水流を制御する制水枠体を備えた聖牛とともに用いられる聖牛用基礎ブロックであって、この基礎ブロックが、古タイヤの内部にコンクリートを充填固化させて構成された複数の基礎ブロック構成体からなり、これらの複数の基礎ブロック構成体が、前記制水枠体の少なくとも周縁部に配設されるとともに、この基礎ブロック構成体に、前記制水枠体を固定する固定手段が設けられていることを特徴とする聖牛用基礎ブロック。
【請求項２】
前記制水枠体が、上下方向に沿って配設された複数の縦枠を備え、前記固定手段が、前記古タイヤの内部に充填されるコンクリートに形成され、前記縦枠の下部が嵌合させられる嵌合孔であることを特徴とする請求項１に記載の聖牛用基礎ブロック。
【請求項３】
前記制水枠体が、前記縦枠の上部どうしを連結する横枠を備え、前記固定手段が、前記基礎ブロック構成体に固定され、前記横枠に巻き付けられる張力部材であることを特徴とする請求項２に記載の聖牛用基礎ブロック。
【請求項４】
前記張力部材の両端部が、前記基礎ブロック構成体に固定されたフックに連結されることによって、前記基礎ブロック構成体に固定されるようになされていることを特徴とする請求項３に記載の聖牛用基礎ブロック。
【請求項５】
前記複数の基礎ブロック構成体が、上下方向に多層状に積層されていることを特徴とする請求項１ないし請求項４の何れかに記載の聖牛用基礎ブロック。
【請求項６】
前記複数の基礎ブロック構成体どうしが相互に連結されていることを特徴とする請求項１ないし請求項５の何れかに記載の聖牛用基礎ブロック。
【発明の詳細な説明】
【０００１】
【発明の属する技術分野】
本発明は、河川岸に設置されて水流を制御することにより、前記河川岸の浸食等を防止するようにした聖牛に関するものである。
【０００２】
【従来の技術】
従来、河川岸に設置されて水流を制御して、前記河川岸の浸食等を防止するために、図９に示すような聖牛が用いられている。
【０００３】
この図に符号１で示す聖牛は、上下方向に沿って配設される複数本の縦枠２と、横方向に沿って配設される横枠３とを略屋根型に組み上げることによって構成されており、この聖牛１を、河川の岸に沿って所定間隔で設置することによって使用される。
【０００４】
そして、河川の岸へ向かう水の勢いを、前記聖牛１によって減水させることにより、水流によって前記河川の岸が浸食されることを防止するようにしている。
【０００５】
【発明が解決しようとする課題】
ところで、このような従来の聖牛１にあっては、つぎのような改善すべき課題が残されている。
すなわち、前記聖牛１を河川に設置するには、水流によって流されるのを防止するために、前記縦枠２を川底に固定するために、蛇篭を現地で組み立てながら、この蛇篭を重しとする作業が必要であり、その施工が煩雑であるといった課題である。
また、前述した聖牛１は、水の通過領域が大きく、したがって、たとえば、流木等の流下物や浮遊物が聖牛１まで到達すると、これらの流下物や浮遊物のみが聖牛１によって捕捉されてしまい、この結果、上流側に位置する聖牛１に多くの流下物や浮遊物が絡みついて滞留してしまうといった課題もある。
このように、多くの流下物や浮遊物が滞留してしまうと、景観が損なわれるばかりでなく、聖牛１自体に大きな抵抗が発生して、この聖牛１が押し倒されてしまうようなことも想定される。
【０００６】
本発明は、このような従来の課題に鑑みてなされたもので、水流を制御して河川岸の浸食を抑制しつつ、流下物や浮遊物の滞留を極力少なくし、かつ、施工を省力化してコストを低減し、また、安定性を高めることの可能な聖牛用基礎ブロックを提供することを目的とする。
【０００７】
【課題を解決するための手段】
本発明の請求項１に記載の聖牛用基礎ブロックは、前述した課題を解決するために、河川岸に沿いかつ水面上から突出した状態で設置されて、前記河川の水流を制御する制水枠体を備えた聖牛とともに用いられる聖牛用基礎ブロックであって、この基礎ブロックが、古タイヤの内部にコンクリートを充填固化させて構成された複数の基礎ブロック構成体からなり、これらの複数の基礎ブロック構成体が、前記制水枠体の少なくとも周縁部に配設されるとともに、この基礎ブロック構成体に、前記制水枠体を固定する固定手段が設けられていることを特徴とする。
そして、前記基礎ブロック構成体は、前記制水枠体の周縁部のみならず、この制水枠体の敷設領域全体に配設することも含むものである。
本発明の請求項２に記載の聖牛用基礎ブロックは、請求項１に記載の前記制水枠体が、上下方向に沿って配設された複数の縦枠を備え、前記固定手段が、前記古タイヤの内部に充填されるコンクリートに形成され、前記縦枠の下部が嵌合させられる嵌合孔であることを特徴とする。
本発明の請求項３に記載の聖牛用基礎ブロックは、請求項２に記載の前記制水枠体が、前記縦枠の上部どうしを連結する横枠を備え、前記固定手段が、前記基礎ブロック構成体に固定され、前記横枠に巻き付けられる張力部材であることを特徴とする。
本発明の請求項４に記載の聖牛用基礎ブロックは、請求項３に記載の前記張力部材の両端部が、前記基礎ブロック構成体に固定されたフックに連結されることによって、前記基礎ブロック構成体に固定されるようになされていることを特徴とする。
本発明の請求項５に記載の聖牛用基礎ブロックは、請求項１ないし請求項４の何れかに記載の前記複数の基礎ブロック構成体が、上下方向に多層状に積層されていることを特徴とする。
本発明の請求項６に記載の聖牛用基礎ブロックは、請求項１ないし請求項５の何れかに記載の前記複数の基礎ブロック構成体どうしが相互に連結されていることを特徴とする。
【０００８】
【発明の実施の形態】
以下、本発明の一実施形態について、図１ないし図５を参照して説明する。
図１において符号１０は、本実施形態が適用された聖牛を示し、この聖牛１０は、河川岸近くの川底に設置される複数の基礎ブロック構成体１１と、前記基礎ブロック１１に組み付けられて前記河川の水面上から突出した状態で固定される制水枠体１２を備え、前記基礎ブロック構成体１１が、図２に示すように、前記制水枠体１２の周縁部に沿って配設されているとともに、この基礎ブロック構成体１１が、図３および図４に示すように、古タイヤ１３の内部にコンクリート１４を充填固化させて構成され、かつ、この基礎ブロック構成体１１に、前記制水枠体１２を固定する固定手段が設けられていることを特徴とし、前記基礎ブロック構成体１１の複数によって、本実施形態に係わる基礎ブロックが構成されている。
【０００９】
ついで、これらの詳細について説明すれば、前記制水枠体１２が、上下方向に沿って配設される縦枠１５を備えており、これらの縦枠１５は、その複数本を一組として、水平方向に多数組（図示例では３組）設けられており、各組ごとの縦枠１５は、その下端に間隔が設けられているとともに、上端が相互に交差させられている。
また、前記各組の縦枠１５は、その高さが漸次低くなるように、また、その下端の間隔が狭くなるように形成されている。
【００１０】
さらに、本実施形態においては、前記各組の縦枠１５の上部に形成されている交差部間に掛け渡されるように横枠１６が設けられているとともに、この横枠１６が、前記交差部において各縦枠１５に連結され、また、前記各縦枠１５の下部近傍には、床状の連結板１７が取り付けられている。
【００１１】
一方、前記基礎ブロック構成体１１は、図３に示すように、古タイヤ１３の内部全体にコンクリート１４が充填されたタイプと、図４に示すように、このコンクリート１４の中央部に嵌合孔１４ａが形成されたタイプとに形成されている。
【００１２】
前記嵌合孔１４ａは、その内径が、前記縦枠１５の外径と略同一に形成されており、前記縦枠１５が挿入された後に若干傾斜させられた際に、この縦枠１５の外面が前記嵌合孔１４ａの端部内壁に当接させられることにより、前記縦枠１５が基礎ブロック構成体１１に固定されるようになっている。
したがって、本実施形態においては、前記嵌合孔１４ａが、前記縦枠１５を固定する固定手段となされている。
【００１３】
そして、前記各基礎ブロック構成体１１には、図５に示すように、フック１８が一体に取り付けられており、このフック１８間をチェーン１９等の連結手段によって連結することにより、前記基礎ブロック構成体１１どうしが相互に連結されるようになっている。
【００１４】
本実施形態に係わる聖牛１０を組み立てるには、まず、複数の基礎ブロック構成体１１を、図２に示すように、制水枠体１２の下部を結んで得られる形状に合わせて配設するとともに、これらの基礎ブック構成体１１を、フック１８およびチェーン１９を介して相互に連結する。
ここで、前記基礎ブロック構成体１１のうち、前記縦枠１５が位置させられる部位には、嵌合孔１４ａが形成されている基礎ブロック構成体１１を配置する。
【００１５】
ついで、前記基礎ブロック構成体１１の嵌合孔１４ａに、縦枠１５の下端を嵌合させた後に、各組ごとに、縦枠１５の上端を交差させ、さらに、これらの各組の縦枠１５の交差部間に掛け渡すように横枠１６を取り付けるとともに、これらを相互に連結する。
そして、各組の縦枠１５の下部に、前記基礎ブロック構成体１１の一部を覆うように連結板１７を取り付けて、本実施形態に係わる聖牛１０が組み上げられる。
【００１６】
このように組み上げられる本実施形態に係わる聖牛１０は、設置個所近くの陸上で予め組み上げて河川の所定位置に設置され、あるいは、前記複数の基礎ブロック構成体１１を川底に配置して基礎ブロックを形成し、この基礎ブロックに制水枠体１２を組み付けることによって設置される。
【００１７】
そして、前記聖牛１０は、河川の水流に交差するようにして、流れ方向に所定間隔をおいて複数設置される。
【００１８】
このように設置される聖牛１０は、縦枠１５を川底に固定し、かつ、重しとなる蛇篭の石詰め作業が省略され、この結果、設置作業が簡素化される。
また、設置後においては、前記制水枠体１２が基礎ブロック（複数の基礎ブロック構成体１１）の重量によって強固に支持され、これによって、前記制水枠体１２の水流に対する抗力が十分に得られ、水流によって流されたり位置ずれを生じることが抑制される。
【００１９】
一方、前記制水枠体１２の少なくとも周縁部に沿って前記基礎ブロック構成体１１が配設されていることにより、聖牛１０の水の通過領域が制限され、聖牛１０周りにこの聖牛１０を回り込むような水流が形成される。
この結果、聖牛１０近傍まで流れ着いた流下物や浮遊物が、前記聖牛１０を避けるように流れることとなり、これらの流下物や浮遊物が前記聖牛１０に絡みつくことが抑制される。
したがって、前記流下物や浮遊物が絡みつくことによる水の抵抗の上昇が抑制されるとともに、前述した聖牛１０の位置ずれがより一層抑制される。
【００２０】
なお、前記実施形態において示した各構成部材の諸形状や寸法等は一例であって、設計要求等に基づき種々変更可能である。
たとえば、前記実施形態においては、前記基礎ブロック構成体１１に形成した嵌合孔１４ａに前記縦枠１５を傾斜させて係合させることによってこれらを固定する例について示したが、これに代えて、図６に示すように、前記基礎ブロック構成体１１にフック２０を固定しておくとともに、図７に示すように、前記制水枠体１２の下部に他の横枠２１を設けておき、この横枠２１にチェーン等の張力部材２２を巻き付け、この張力部材２２を前記基礎ブロック構成体１１に前記フック２０を介して連結することによって前記制水枠体１２と基礎ブロック構成体１１との固定を行うようにしてもよい。
この場合、前記フック２０および張力部材２２とによって固定手段が構成される。
そして、前記張力部材２２を、図８に示すように、前記連結板１７に巻き付けるようにしてもよい。
さらに、前記連結板１７は、全体として板状であってもよく、また、棒状部材を組み上げる構成としてもよい。
また、前記基礎ブロック構成体１１は、河底高さ（水深）や流速等の現地条件によって、多層状に積層して、これらを相互に連結するようにしてもよい。
これによって、水流に対する抵抗力を大きくして、牛聖１０のずれや流出を一層確実に防止することができる。
【００２１】
【発明の効果】
以上説明したように、本発明に係わる聖牛によれば、従来、制水枠体のずれや流出を防止するために重しとして用いられていた蛇篭を作成するための詰め石作業を省略することができ、この結果、設置作業を簡素化することができる。
また、設置後においては、制水枠体が基礎ブロックの重量によって強固に支持され、これによって、前記制水枠体の水流に対する抗力が十分に得られ、また、多数の基礎ブロック構成体を用いた群体効果による重量確保や荷重分散による根固工や床固工の機能によって、水流によって流されたり位置ずれを生じたりすることを防止し、さらに、集中荷重による川底の掘削やこれに起因した倒れが生じることを抑制することができる。
一方、前記制水枠体の周縁部に沿って前記基礎ブロック構成体が配設されていることにより、聖牛の水の通過領域が制限され、聖牛周りにこの聖牛を回り込むような水流が形成され、この結果、聖牛近傍まで流れ着いた流下物や浮遊物が、前記聖牛を避けるように流れることとなり、これらの流下物や浮遊物が前記聖牛に絡みつくことが抑制される。
したがって、前記流下物や浮遊物が絡みつくことによる水の抵抗の上昇が抑制されるとともに、前述した聖牛の位置ずれがより一層抑制される。
【図面の簡単な説明】
【図１】本発明の一実施形態を示す外観斜視図である。
【図２】本発明の一実施形態を示す平面図である。
【図３】本発明の一実施形態を示すもので、基礎ブロックの縦断面図である。
【図４】本発明の一実施形態を示すもので、基礎ブロックの変形例を示す縦断面図である。
【図５】本発明の一実施形態を示すもので、基礎ブロックの連結構造の一例を示す平面図である。
【図６】本発明の他の実施形態を示すもので、基礎ブロックの縦断面図である。
【図７】本発明の他の実施形態を示す側面図である。
【図８】本発明のさらに他の実施形態を示す正面図である。
【図９】一従来例を示す外観斜視図である。
【符号の説明】
１  聖牛
２  縦枠
３  横枠
１０  聖牛
１１  基礎ブロック構成体（基礎ブロック）
１２  制水枠体
１３  古タイヤ
１４  コンクリート
１４ａ  嵌合孔（固定手段）
１５  縦枠
１６  横枠
１７  連結板
１８  フック
１９  チェーン
２０  フック（固定手段）
２１  横枠
２２  張力部材（固定手段）
【図１】
2004176306.tif 000003
【図２】
2004176306.tif 000004
【図３】
2004176306.tif 000005
【図４】
2004176306.tif 000006
【図５】
2004176306.tif 000007
【図６】
2004176306.tif 000008
【図７】
2004176306.tif 000009
【図８】
2004176306.tif 000010
【図９】
2004176306.tif 000011